(57)【要約】【課題】放送記録装置において、ユーザの嗜好に合致した記録予約の自動化を実現する。【解決手段】制御部１１は、カード型メモリ１２又はＵＳＢメモリ１３に記録されているＩＤ３タグを読み出して、ハードディスク装置に記録する。また、制御部１１は、テレビジョン放送信号に含まれる番組情報を取得し、ＩＤ３タグのタグ情報と比較して、このタグ情報と内容が一致する番組情報を有する番組のタイマ記録を自動的に予約する。【選択図】図３
2010246047.tif 000002
【特許請求の範囲】
【請求項１】
放送信号を受信するチューナと、このチューナによって受信された放送信号を記録する
記録手段と、この記録手段に前記放送信号をタイマ記録させるタイマ記録手段と、前記放
送信号に含まれる番組情報を取得する番組情報取得手段と、外部メモリが接続可能な外部
メモリ接続部とを備えた放送記録装置において、
前記外部メモリには、音声のコンテンツファイルが記録され、このコンテンツファイル
には該コンテンツファイルに格納されるコンテンツの内容に関するタグ情報が含まれ、
前記外部メモリから前記タグ情報を読み出して、このタグ情報と前記番組情報取得手段
が取得した番組情報とを比較して、前記タグ情報と内容が一致する番組情報を有する番組
のタイマ記録を自動的に予約するタイマ記録予約手段をさらに備えたことを特徴とする放
送記録装置。
【請求項２】
前記外部メモリから読み出したタグ情報を記録するタグ情報記録手段をさらに備えたこ
とを特徴とする請求項１に記載の放送記録装置。
【請求項３】
前記タグ情報は、ＩＤ３タグの規格に準拠することを特徴とする請求項１又は請求項２
に記載の放送記録装置。
【請求項４】
前記タグ情報と内容が一致する番組情報を有する番組を一覧表示するための一覧表示手
段と、この一覧表示手段を介して一覧表示された番組の中から、ユーザがタイマ記録の予
約をさせたい番組を選択するための番組選択手段をさらに備えたことを特徴とする請求項
１乃至請求項３のいずれか一項に記載の放送記録装置。
【発明の詳細な説明】
【技術分野】
【０００１】
本発明は、放送信号をタイマ記録する機能を有する放送記録装置に関するものである。
【背景技術】
【０００２】
従来から、テレビジョン放送を記録する機能を有するＡＶ機器においては、記録（録画
）予約に関して種々の技術が開示されている。例えば、特許文献１には、ユーザによって
選択されたキーワードに関連する番組を電子番組表から探し出して、自動的に記録予約を
行う情報表示装置が示されている。
【０００３】
また、特許文献２には、ＩＤ３タグに基づいて作成されたコンテンツデータの属性及び
階層構造を表示する再生装置が開示されている。また、特許文献３には、オーディオコン
テンツのタイプ情報としてＩＤ３タグを用いて、適切な画質と音質の調整を行う再生装置
が開示されている。また、特許文献４には、ＩＤ３タグからコンテンツファイルの内容を
知得し、所望の再生場所から再生を開始することが可能な再生装置が開示されている。ま
た、特許文献５には、ＩＤ３タグの情報を用いて、ユーザの居場所に応じたコンテンツを
提供できる再生装置が開示されている。
【０００４】
しかしながら、上記特許文献１に開示された表示装置においては、自動的に録画予約を
行うにあたって予めユーザがキーワードを選択する必要があるため、記録予約の完全な自
動化には至らず使い勝手が悪い。また、上記特許文献２乃至特許文献５に開示されている
技術を特許文献１に開示された表示装置に適用しても、上述した記録予約の自動化に関す
る課題を解決することができない。
【先行技術文献】
【特許文献】
【０００５】
【特許文献１】特開２００５−１１５７９０号公報
【特許文献２】特開２００９−００４０４７号公報
【特許文献３】特開２００６−１０８８４３号公報
【特許文献４】特開２００５−０２６８５０号公報
【特許文献５】特開２００４−１５２１７４号公報
【発明の概要】
【発明が解決しようとする課題】
【０００６】
本発明は、上記課題を解決するためになされたものであり、ユーザの嗜好に合致した記
録予約の自動化を実現し、使い勝手を高めることができる放送記録装置を提供することを
目的とする。
【課題を解決するための手段】
【０００７】
上記目的を達成するために請求項１の発明は、放送信号を受信するチューナと、このチ
ューナによって受信された放送信号を記録する記録手段と、この記録手段に前記放送信号
をタイマ記録させるタイマ記録手段と、前記放送信号に含まれる番組情報を取得する番組
情報取得手段と、外部メモリが接続可能な外部メモリ接続部とを備えた放送記録装置にお
いて、前記外部メモリには、音声のコンテンツファイルが記録され、このコンテンツファ
イルには該コンテンツファイルに格納されるコンテンツの内容に関するタグ情報が含まれ
、前記外部メモリから前記タグ情報を読み出して、このタグ情報と前記番組情報取得手段
が取得した番組情報とを比較して、前記タグ情報と内容が一致する番組情報を有する番組
のタイマ記録を自動的に予約するタイマ記録予約手段をさらに備えたことを特徴とする。
【０００８】
請求項２の発明は、請求項１に記載の放送記録装置において、前記外部メモリから読み
出したタグ情報を記録するタグ情報記録手段をさらに備えたことを特徴とする。
【０００９】
請求項３の発明は、請求項１又は請求項２に記載の放送記録装置において、前記タグ情
報は、ＩＤ３タグの規格に準拠することを特徴とする。
【００１０】
請求項４の発明は、請求項１乃至請求項３のいずれか一項に記載の放送記録装置におい
て、前記タグ情報と内容が一致する番組情報を有する番組を一覧表示するための一覧表示
手段と、この一覧表示手段を介して一覧表示された番組の中から、ユーザがタイマ記録の
予約をさせたい番組を選択するための番組選択手段をさらに備えたことを特徴とする。
【発明の効果】
【００１１】
請求項１の発明によれば、タイマ記録予約手段が外部メモリからタグ情報を読み出して
、このタグ情報と内容が一致する番組情報を有する番組のタイマ記録を自動的に予約する
ので、ユーザの手を煩わせることなく、ユーザの嗜好に合致した記録予約の自動化を実現
できる。これにより、放送記録装置の使い勝手を高め、付加価値を高めることができる。
【００１２】
請求項２の発明によれば、過去に接続された外部メモリから読み出したタグ情報をタグ
情報記録手段が記録するので、過去に蓄積されたタグ情報を活用しつつユーザの嗜好によ
り一層合致する番組を自動的に記録予約することができる。
【００１３】
請求項３の発明によれば、ＩＤ３タグの規格に準拠するタグ情報を用いるので、例えば
ＭＰ３（MPEG Audio Layer-3）のフォーマットで圧縮音声ファイルが記録されている外部
メモリを接続することにより、ユーザの嗜好に合致した記録予約を行うことができる。
【００１４】
請求項４の発明によれば、一覧表示された番組の中から、ユーザがタイマ記録の予約を
させたい番組を選択できるので、放送記録装置の使い勝手を高めることができる。また、
記録予約をする番組をユーザ自身の選択によって制限できるので、限りのある記録手段の
記録容量を有効に利用できるようになる。
【図面の簡単な説明】
【００１５】
【図１】本発明の一実施形態によるテレビジョン放送記録装置の構成を示すブロック図。
【図２】同テレビジョン放送記録装置に組み込まれるハードディスク装置が記録するデータを示す図。
【図３】同テレビジョン放送記録装置の動作を示すフローチャート。
【発明を実施するための形態】
【００１６】
本発明の放送記録装置の一実施形態であるテレビジョン放送記録装置について図面を参
照して説明する。図１はテレビジョン放送記録装置の構成を示している。テレビジョン放
送記録装置１は、チューナ２、デコーダ３、ハードディスク装置（ＨＤＤ：記録手段、タ
グ情報記録手段）４、タイマ（タイマ記録手段）５、出力部６、カードスロット（外部メ
モリ接続部）７、ＵＳＢ端子（外部メモリ接続部）８、コントローラ９、受光部１０及び
制御部（タイマ記録手段、番組情報取得手段、タイマ記録予約手段、一覧表示手段）１１
等によって構成されている。
【００１７】
チューナ２は、放送局から送信されるテレビジョン放送信号を受信する。チューナ２に
よって受信されるテレビジョン放送信号には、映像信号及び音声信号の他、例えばＥＰＧ
（Electronic Program Guide）等の番組情報が含まれる。テレビジョン放送信号に含まれ
る番組情報は、制御部１１によって取得され、必要に応じてハードディスク装置４等のス
トレージに記録される。この番組情報は、テレビジョン放送信号の中に定期的に含められ
て、放送局から送信されるので、制御部１１は、この番組情報を必要に応じて何度でも取
得することができる。デコーダ３は、チューナ２によって受信されたテレビジョン放送信
号を復号する。また、デコーダ３は、ハードディスク装置４に記録されているテレビジョ
ン放送信号を復号する。ハードディスク装置４は、チューナ２によって受信されたテレビ
ジョン放送信号を記録する。タイマ５は、時間を計数する。制御部１１は、タイマ５によ
って計数された時間に基づいて、ハードディスク装置４にテレビジョン放送信号をタイマ
記録させる。
【００１８】
出力部６は、デコーダ３によって復号された信号（映像信号及び音声信号）を、テレビ
ジョン放送記録装置１の外部に接続されているモニタ装置１４に出力する。出力部６とモ
ニタ装置１４とは、例えばＨＤＭＩ（High-Definition Multimedia Interface）ケーブル
を介して接続されて、映像信号及び音声信号の送受信がなされる。
【００１９】
カードスロット７には、例えばＳＤメモリカード等のカード型メモリ（外部メモリ）１
２が挿入される。カードスロット７は、挿入されたカード型メモリ１２から映像及び／又
は音楽ファイルのコンテンツ信号に相当するデータを制御部１１に伝送する。ＵＳＢ端子
８には、ＵＳＢ（Universal Serial Bus）の規格に準拠する機器が接続される。ＵＳＢ端
子８には、例えばＵＳＢメモリ（外部メモリ）１３が挿入される。ＵＳＢ端子８は、ＵＳ
Ｂメモリ１３から映像及び／又は音楽ファイル（コンテンツファイル）のデータを制御部
１１に伝送する。カード型メモリ１２及びＵＳＢメモリ１３にＭＰ３のフォーマットで圧
縮音声ファイルが記録されている場合、その圧縮音声ファイルには、ＩＤ３タグの規格に
準拠するタグ情報が含まれる。タグ情報とは、映像及び／又は音声ファイルに格納される
コンテンツの内容に関する情報であり、具体的には、楽曲名、アーティスト（タレント）
、ジャンル（楽曲分野）等の情報である。
【００２０】
コントローラ９は、ユーザによって操作され、赤外線信号を送信することにより、テレ
ビジョン放送記録装置１を遠隔操作する。受光部１０は、コントローラ９から送信された
赤外線信号を受信して電気信号に変換し、制御部１１に伝送する。
【００２１】
制御部１１は、受光部１０から伝送された電気信号に応じて、テレビジョン放送記録装
置１の各部を制御する。例えば、チューナ２に対して受信周波数の変更を促す制御信号を
出力させたり、ハードディスク装置４にチューナ２が受信したテレビジョン放送信号を記
録させる旨の制御信号を出力する。また、制御部１１は、テレビジョン放送信号のタイマ
記録の制御を司る。すなわち、制御部１１は、予約された時間になったことをタイマ５に
よる計時から知得すると、予約されたチャンネルにチューナ２の受信周波数を合わせ、予
約された番組のテレビジョン放送信号をハードディスク装置４に記録させる。
【００２２】
また、制御部１１は、カードスロット７及びＵＳＢ端子８を介して伝送された圧縮音声
ファイルのデータからタグ情報を読み出して、このタグ情報に基づいてタイマ記録を自動
的に予約する機能を有している。すなわち制御部１１は、カード型メモリ１２又はＵＳＢ
メモリ１３に記録されている圧縮音声ファイルのタグ情報から、ユーザの趣味趣向を分析
できる。制御部１１は、読み出したタグ情報からテキスト情報を抽出し、ハードディスク
装置４にＩＤ３タグデータベースとして記録させる。そして、ユーザが記録予約をすると
き、ＩＤ３タグデータベースを参照し、上記のテキスト情報とＥＰＧの番組表のキーワー
ドとのヒット率を計算し、関連性の大きかった番組を「あなたにお勧めするプログラム」
等のように一覧表示して記録予約を促す。例えば、ＩＤ３タグデータベースにクラシック
音楽の楽曲が多い場合は、クラシックの演奏番組の記録予約が促される。また、ＩＤ３タ
グデータベースに記録されているアーティスト名と一致するアーティストの出演番組や主
題歌が採用されているドラマの記録予約が促される。
【００２３】
図２は、ハードディスク装置４に記録されるデータを示している。ハードディスク装置
４は、テレビジョン放送信号等の映像及び音声信号のデータが記録される映像音声データ
領域と、タグ情報が記録されるタグ情報データ領域とを有している。タグ情報データ領域
には、上述したＩＤ３タグデータベースが予め構築されている。
【００２４】
以下、テレビジョン放送記録装置１の制御部１１がタグ情報に基づいてタイマ記録を自
動的に予約する際の動作について、図３を参照して説明する。まず、ユーザは、コントロ
ーラ９を操作して、記録システムを選択する（＃１）。本実施形態においては、３種の記
録システムが存在する。制御部１１がタグ情報に基づいてタイマ記録を自動的に予約する
本発明に特徴的なシステム（本システムとする）と、ユーザがＥＰＧの番組表を参照して
記録予約する番組を選択する第１従来システムと、ユーザが記録開始／終了時刻やチャン
ネルを手入力して記録予約する第２従来システムである。ユーザによって本システムが選
択され（＃２においてＹＥＳ）、自動記録チェック時刻になると（＃３においてＹＥＳ）
、ハードディスク装置４にＩＤ３タグデータベースが存在するか否かを確認する（＃４）
。ここで自動記録チェック時刻とは、自動記録の予約を行うために定期的にＩＤ３タグデ
ータベースをチェックする時刻であり、ユーザ又はテレビジョン放送記録装置１の製造者
等によって予め設定されている。
【００２５】
ハードディスク装置４にＩＤ３タグデータベースが存在する場合には（＃４においてＹ
ＥＳ）、制御部１１は、チューナ２によって受信されるテレビジョン放送信号に含まれる
ＥＰＧの番組情報、すなわちＥＰＧの番組表（再取得）、若しくは既にハードディスク装
置４等のストレージに記録されているＥＰＧ情報を利用する（＃５）。さらに制御部１１
は、ハードディスク装置４のＩＤ３タグデータベースに記録されているタグ情報と、＃５
において取得したＥＰＧの番組表とを比較して内容（キーワード）が一致する番組を予約
記録する対象番組として選出し（＃６）、モニタ装置１４に一覧表示させる（＃７）。そ
して、ユーザーがモニタ装置１４に一覧表示された番組の中から予約記録したい番組を選
択すると（＃８）、制御部１１は、ユーザによって選択された番組のタイマ記録を自動的
に予約する（＃９）。
【００２６】
なお、＃２において、本システムが選択されず（＃２においてＮＯ）、第１従来システ
ムが選択された場合（＃１０においてＹＥＳ）、制御部１１は、ＥＰＧの番組表からユー
ザによって選択された番組を記録予約する（＃１１）。また、第１従来システムが選択さ
れずに、第２従来システムが選択された場合には（＃１０においてＮＯ）、制御部１１は
、ユーザによって手入力された記録開始／終了時刻やチャンネルで記録予約する（＃１２
）。
【００２７】
以上のように、本実施形態のテレビジョン放送記録装置１によれば、制御部１１がカー
ド型メモリ１２又はＵＳＢメモリ１３からＩＤ３タグのタグ情報を読み出して、このタグ
情報とＥＰＧの番組表を比較して内容が一致する番組のタイマ記録を自動的に予約するの
で、ユーザの手を煩わせることなく、ユーザの嗜好に合致した記録予約の自動化を実現で
きる。これにより、テレビジョン放送記録装置の使い勝手を高め、付加価値を高めること
ができる。また、過去に接続されたカード型メモリ１２又はＵＳＢメモリ１３から読み出
したＩＤ３タグのタグ情報をハードディスク装置４が記録するので、過去に蓄積されたタ
グ情報を活用しつつユーザの嗜好により一層合致する番組を自動的に記録予約することが
できる。また、ＩＤ３タグの規格に準拠するタグ情報を用いるので、例えばＭＰ３のフォ
ーマットで圧縮音声ファイルが記録されているカード型メモリ１２又はＵＳＢメモリ１３
を接続することにより、ユーザの嗜好に合致した記録予約を行うことができる。さらに、
モニタ装置１４に一覧表示された番組の中から、ユーザがタイマ記録の予約をさせたい番
組を選択できるので、テレビジョン放送記録装置の使い勝手を高めることができる。また
、記録予約をする番組をユーザ自身の選択によって制限できるので、限りのあるハードデ
ィスク装置４の記録容量を有効に利用できるようになる。
【００２８】
なお、本発明は上記実施形態の構成に限られることなく、種々の変形が可能である。例
えば、カードスロット７又はＵＳＢ端子８にカード型メモリ１２又はＵＳＢメモリ１３が
接続されたとき、ＩＤ３タグを取得し、直ちにタグ情報と、＃５において取得したＥＰＧ
の番組表を比較して内容が一致する番組を予約記録する対象番組として選出するように構
成してもよい。この場合、ハードディスク装置４にＩＤ３タグデータベースに構築する必
要がないため、予約処理の迅速化を図ることができる。また、テレビジョン放送信号の記
録に用いられるハードディスク装置４の記録容量を大きくすることができる。また本発明
は、テレビジョン放送に限られることなく、ラジオ放送等の記録装置等にも広く適用可能
である。
【００２９】
また、図３中、＃７及び＃８の処理を省略してもよい。この場合にあっては、制御部１
１は、ＩＤ３タグデータベースに記録されているタグ情報とＥＰＧの番組表を比較して内
容が一致する番組を予約記録する対象番組として選出し（＃６）、その選出された番組の
タイマ記録を自動的に予約する（＃９）。この場合にあっては、ユーザの手を煩わせるこ
となく、タイマ記録の予約を完全に自動化することが可能となる。
【００３０】
また、テレビジョン放送記録の記録媒体は、ハードディスクに限られることなく、例え
ば、ＤＶＤやブルーレイディスク等の他の記録メディアであってもよい。この場合におい
て、図３中＃６の処理で選出される番組の数は、記録メディアの容量に応じて設定するこ
とができる。例えば、ＥＰＧの番組表の情報との比較に用いるキーワードをＩＤ３タグデ
ータベースに頻出するキーワードの上位３つまでに制限したり、ＥＰＧの番組表の情報と
の比較用のキーワードとして用いるＩＤ３タグ情報中のジャンル（名）を最も多いジャン
ルから２つまでに制限したり、１つのキーワードに対して番組の記録予約は５つまでに制
限することにより、番組の数を制限できる。
【符号の説明】
【００３１】
１    テレビジョン放送記録装置（放送記録装置）
２    チューナ
３    デコーダ
４    ハードディスク装置（記録手段、タグ情報記録手段）
５    タイマ（タイマ記録手段）
７    カードスロット（外部メモリ接続部）
８    ＵＳＢ端子（外部メモリ接続部）
１１    制御部（タイマ記録手段、番組情報取得手段、タイマ記録予約手段、一覧表示
手段）
【図１】
2010246047.tif 000003
【図２】
2010246047.tif 000004
【図３】
2010246047.tif 000005